(57)【要約】      （修正有）【課題】非専業者でも自身で簡単に釘打ちができ、毎回釘打ちするときに、釘を装入する手間を省き、簡単な施工と使用の便利性を達成する釘打ち器を提供する。【解決手段】釘撃ち器はグリップ主体１０下方にグリップ１１を有する。グリップ１１底部は複数の回避孔１１１を設置し、グリップ体１０は中心に軸孔１２を有する。軸心２０の中心は穿孔６１を貫通し、上段箇所に槽１４を有し、底部周辺に複数の回避孔２０１を有し、打撃棒３０の頂端は打撃頭３１で、グリップ１１一側は槽１４を有して、制御器を組設し、その内部は容置空間を有し、上方は滑槽４２である。その一側は導出槽、及び、推進槽４４であり、前後に対応するトラック槽４５を有する。トラック槽４５の下方一端は固定柱４６を設置し、固定柱４６は弾性素子４７を設置し、制御器上方の滑槽４２は釘制限体を置入し、制御器４４の推進槽は推進素子６０を置入し、推進素子６０の穿孔は、定位素子７０を結合する。【選択図】図２
0003147296.tif 000002
【実用新案登録請求の範囲】
【請求項１】
釘撃ち器であって、グリップ主体からなり、その下方にグリップを有し、前記グリップ底部は複数の回避孔を設置し、前記グリップ体は中心に上が小さく下が大きい二段階状の軸孔を有し、前記軸心の中心は穿孔を貫通し、上段箇所に槽を有し、また、前記軸心底部周辺に複数の回避孔を有し、打撃棒の頂端は打撃頭で、その特徴は、
前記グリップは、槽を有し、制御器を組設し、内部に容置空間を有し、上方は滑槽で、その一側は導出槽、及び、推進槽であり、前後に対応するトラック槽を有し、前記トラック槽の一端は定位部を形成し、前記トラック槽下方の一端は固定柱を設置し、前記固定柱は弾性素子を設置し、前記制御器の推進槽は推進素子を置入し、前記推進素子一側上方は穿孔有して、定位素子を結合し、
組み合わせ時、前記グリップ体の槽が前記制御器を組設し、前記制御器の滑槽が、釘制限体を置入し、前記制御器の推進槽が推進素子を置入し、前記推進素子の穿孔は、前記制御器のトラック槽４５と水平設置され、前記定位素子が前記トラック槽、及び、前記推進素子の穿孔を穿組し、前記定位素子により前記定位部に定位され、前記定位素子の端部が前記弾性素子のもう一端を設置し、前記軸心は、前記グリップ体下方から前記軸孔上段の小階段に穿入固定されて、前記軸心の槽が、前記制御器の導出槽に照準し、前記推進素子により前記釘制限体を推進し、前記釘撃ち棒は、前記グリップ体上方から軸孔に穿入し、更に、前記軸心の穿設孔中に穿入して、連続的な釘撃ち使用を可能にすることを特徴とする釘撃ち器。
【請求項２】
前記グリップ上方は拡大状の防護ブロックを有することを特徴とする請求項１に記載の釘撃ち器。
【請求項３】
前記打撃頭は大きい頭状か取っ手形状であることを特徴とする請求項１に記載の釘撃ち器。
【考案の詳細な説明】
【技術分野】
【０００１】
本考案は釘撃ち器に関するものであって、特に、連続して釘を打つことができ、規格が小さい釘体も使用でき、非専業者でも自身で簡単に釘撃ちができ、簡単な施工と使用の便利性に優れた釘撃ち器に関する。
【背景技術】
【０００２】
図８、図９は、公知の釘撃ち器の定点打撃構造を示す図で、釘打撃棒ａ、グリップｂ、軸心ｃ、挟持頭ｄ、二挟持爪ｅ、二ねじればねｆ、及び、二定位鞘ｇからなり、打撃棒ａの頂端はヘッドが大き打撃ヘッドａ１で、グリップｂ外部は握りやすい握持部ｂ１、中心は上段が小さく、下段が大きい二段階の軸孔ｂ２を有し、握持部ｂ１の上方は拡大状の防護ブロックｂ３を有し、軸心ｃは長い棒で、中心は中心孔ｃ１を貫設し、下端に近い箇所に、軸心ｃを貫通する孔ｃ２を有し、中心孔ｃ１内の所定箇所に、導引珠ｃ２を有し、挟持頭ｄ上端は挿結段ｄ１で、中心は活動空間ｄ２を貫設し、両側は枢結槽ｄ３を有し、枢結槽ｄ３の下端縁は係止部ｄ４で、両側は定位穿孔ｄ５を有する。二挟持爪ｅ上段は外に偏移する押圧部ｅ１で、中段は枢結孔ｅ２、下段は内に偏斜する挟持部ｅ３で、挟持部ｅ３後方は弾性槽を設置し、前方は傾斜した導引面を有し、上述の構造の組み合わせにより、安全、便利に釘を打つことができる釘撃ち器が完成する。しかし、この公知の釘撃ち器は、単一釘の釘撃ち操作しかできず、故に、一度釘撃ちすると、次の釘を挿入する必要があり、使用上不便である。
【考案の開示】
【考案が解決しようとする課題】
【０００３】
本考案の目的は、釘撃ち器を提供し、連続して釘を打つことができ、規格が小さい釘体も使用でき、非専業者でも自身で簡単に釘撃ちができ、毎回釘撃ちするときに、釘を装入する手間を省き、簡単な施工と使用の便利性を達成することにある。
【課題を解決するための手段】
【０００４】
本考案の釘撃ち器は、グリップ主体下方にグリップを有する。グリップ底部は複数の回避孔を設置し、グリップ体は中心に軸孔を有する。軸心の中心は穿孔を貫通し、上段箇所に槽を有し、底部周辺に複数の回避孔を有し、打撃棒の頂端は打撃頭で、グリップ一側は槽を有して、制御器を組設し、その内部は容置空間を有し、上方は滑槽である。その一側は導出槽、及び、推進槽であり、前後に対応するトラック槽を有する。トラック槽の下方一端は固定柱を設置し、固定柱は弾性素子を設置し、制御器上方の滑槽は釘制限体を置入し、制御器の推進槽は推進素子を置入し、推進素子の穿孔は、定位素子を結合する。
【考案の効果】
【０００５】
本考案により、連続的な釘撃ち使用ができる。
【考案を実施するための最良の形態】
【０００６】
図１〜図３で示されるように、本考案の釘撃ち器は、グリップ主体１０からなり、その下方にグリップ１１を有する。グリップ１１底部は複数の回避孔１１１を設置し、グリップ体１０は中心に上が小さく下が大きい二段階状の軸孔１２を有する。グリップ１１上方は拡大した防護ブロック１３を有し、軸心２０の中心は穿孔２１を貫通し、上段箇所に槽２２を有する。また、軸心２０底部周辺に複数の回避孔２０１を有し、打撃棒３０の頂端は打撃頭３１で、打撃頭３１は大きい頭状か取っ手形状である。グリップ１１一側は槽１４を有して、制御器４０を組設し、その内部は容置空間４１を有し、上方は滑槽４２である。その一側は導出槽４３、及び、推進槽４４であり、前後に対応するトラック槽４５を有する。トラック槽４５の一端は定位部４５１を形成し、トラック槽４５下方の一端は固定柱４６を設置し、固定柱４６は弾性素子４７を設置し、制御器４０上方の滑槽４２は釘制限体５０を置入し、複数の二個ずつ対応する制限リング５１を連結した一体成型で、制限リング５１の相隣する間に連結部５２を設置し、制限リング５１は複数の釘５３を設置し、制御器４０の推進槽４４は推進素子６０を置入し、推進素子６０一側上方は穿孔６１を有し、定位素子７０を結合する。
【０００７】
組み合わせ時、図３で示されるように、グリップ体１０の槽１４が制御器４０を組設し、制御器４０の滑槽４２が、釘制限体５０を置入し、制御器４０の推進槽４４が推進素子６０を置入し、推進素子６０の穿孔６１は、制御器４０のトラック槽４５と水平設置され、定位素子７０がトラック槽４５、及び、推進素子６０の穿孔６１を穿組し、定位素子７０により定位部４５１に定位され、定位素子７０の端部が弾性素子４７のもう一端を設置し、軸心２０は、グリップ体１０下方から軸孔１２上段の小階段に穿入固定されて、軸心２０の槽２２が、制御器４０の導出槽４３に照準し、推進素子６０により釘制限体５０を推進し、釘撃ち棒３０は、グリップ体１０上方から軸孔１２に穿入し、更に、軸心２０の穿設孔２１中に穿入して、連続的な釘撃ち使用を可能にする。
【０００８】
実際の作動状況が図３〜図５で示され、釘撃ち器で釘を打つ時、釘撃ち棒３０が上向き状態になり、制御器４０の定位素子７０がトラック槽４５上で作動し、推進素子６０を制御して、釘制限体５０を前に推進し（図３で示される）、この時、単一の釘５３が、導出槽４３から軸心２０の槽２２に送られ、単一の釘５３が、軸心２０の穿設孔２１内に設置され、釘撃ち棒３０が下に打撃し、釘制限体５０が裁断されて、単一の釘５３を分離し（図４で示される）、釘５３が軸心２０下方に達し、打撃棒３０の打撃を受けるので、釘５３は打撃棒３０の打撃を受けた後、制限リング５１、及び、連接部５２を打撃脱離させ、且つ、回避孔２０１、１１１から排出し、更に、打撃棒３０の打撃により、釘５３が、目標物Ａ内に完全に撃ち込まれ（図５で示される）、次に、釘撃ちする時、連続的な釘撃ち動作を提供することができる。
【０００９】
実際の使用状況は、図６で示され羽陽に、釘撃ち器で釘を打つ時、釘撃ち頭３１が大きい頭形状なので、ハンマーを使用し、制御器４０の定位素子７０をトラック槽４５上で作動させ、推進素子６０を制御して、釘制限槽５０を前に推進し、撃ちたい釘５３を軸心２０の穿設孔２１内に送り、打撃棒３０がハンマーの打撃を受ける時、目標物Ａに釘が完全に打ち込まれ、次の目標物に向かって釘を打つ時、釘撃ち器は連続打撃の使用が可能である。
【００１０】
別の使用状況が図７で示され、釘撃ち器で釘を打つ時、釘撃ち頭３１が取っ手形状であるので、手部で打撃し、制御器４０の定位素子７０がトラック槽４５上で作動し、推進素子６０を制御して、釘制限体５０を前に推進し、撃ちたい釘５３を軸心２０の穿設孔２１内に送り、打撃棒３０が手部の打撃を受ける時、釘５３が下に打撃され、目標物Ａに釘が完全に打ち込まれ、次の目標物に向かって釘を打つ時、釘撃ち器は連続打撃の使用が可能である。
【図面の簡単な説明】
【００１１】
【図１】本考案の立体外観図である。
【図２】本考案の立体分解図である。
【図３】本考案の釘装入状態図である。
【図４】本考案の釘撃ち状態図である。
【図５】本考案の釘撃ち状態図である。
【図６】本考案の使用実施例図である。
【図７】本考案のもう一つの実施例の使用状態図である。
【図８】公知の立体分解図である。
【図９】公知の組み合わせ断面図である。
【符号の説明】
【００１２】
本考案
グリップ体      １０
グリップ        １１
回避孔          １１１
軸孔            １２
防護ブロック    １３
槽              １４
軸心            ２０
回避孔          ２０１
穿設孔          ２１
槽              ２２
打撃棒          ３０
打撃頭          ３１
控制器          ４０
容置空間        ４１
滑槽            ４２
導出槽          ４３
推進槽          ４４
トラック槽      ４５
定位部           ４５１
固定柱          ４６
弾性素子        ４７
釘制限体        ５０
制限リング      ５１
連結部          ５２
くぎ            ５３
推進素子        ６０
穿孔            ６１
定位素子        ７０
目標物          Ａ
公知
釘打撃棒        ａ
打撃ヘッド      ａ１
グリップ        ｂ
握持部          ｂ１
軸心            ｃ
挟持頭          ｄ
挟持爪          ｅ
ねじればね      ｆ
定位鞘          ｇ
敲撃頭          ａ１
主握體          ｂ
握持部          ｂ１
軸孔            ｂ２
防護ブロック    ｂ３
軸心            ｃ
中心孔          ｃ１
回避孔          ｃ２
挟持頭          ｄ
挿結段          ｄ１
活動空間        ｄ２
枢結槽          ｄ３
係止部          ｄ４
定位穿孔        ｄ５
挟持爪           ｅ
押圧部           ｅ１
枢結孔           ｅ２
挟持部           ｅ３
ねじればね       ｆ
定位鞘          ｇ
【図１】
0003147296.tif 000003
【図２】
0003147296.tif 000004
【図３】
0003147296.tif 000005
【図４】
0003147296.tif 000006
【図５】
0003147296.tif 000007
【図６】
0003147296.tif 000008
【図７】
0003147296.tif 000009
【図８】
0003147296.tif 000010
【図９】
0003147296.tif 000011
【手続補正書】
【提出日】平成20年10月16日(2008.10.16)
【手続補正１】
【補正対象書類名】実用新案登録請求の範囲
【補正対象項目名】請求項１
【補正方法】変更
【補正の内容】
【請求項１】
釘撃ち器であって、グリップ主体からなり、その下方にグリップを有し、前記グリップ底部は複数の回避孔を設置し、前記グリップ主体は中心に上が小さく下が大きい二段階状の軸孔を有し、前記軸心の中心は穿孔を貫通し、上段箇所に槽を有し、また、前記軸心底部周辺に複数の回避孔を有し、上記グリップ主体の軸孔に穿入する打撃棒の頂端は打撃頭で、その特徴は、
前記グリップは、槽を有し、制御器を組設し、内部に容置空間を有し、上方は滑槽で、その一側は導出槽、及び、推進槽であり、前後に対応するトラック槽を有し、前記トラック槽の一端は定位部を形成し、前記トラック槽下方の一端は固定柱を設置し、前記固定柱は弾性素子を設置し、前記制御器の推進槽は推進素子を置入し、前記推進素子一側上方は穿孔有して、定位素子を結合し、
組み合わせ時、前記グリップ主体の槽が前記制御器を組設し、前記制御器の滑槽が、釘制限体を置入し、前記制御器の推進槽が推進素子を置入し、前記推進素子の穿孔は、前記制御器のトラック槽と水平設置され、前記定位素子が前記トラック槽、及び、前記推進素子の穿孔を穿組し、前記定位素子により前記定位部に定位され、前記定位素子の端部が前記弾性素子のもう一端を設置し、前記軸心は、前記グリップ主体下方から前記軸孔上段の小階段に穿入固定されて、前記軸心の槽が、前記制御器の導出槽に照準し、前記推進素子により前記釘制限体を推進し、前記釘撃ち棒は、前記グリップ主体上方から軸孔に穿入し、更に、前記軸心の穿設孔中に穿入して、連続的な釘撃ち使用を可能にすることを特徴とする釘撃ち器。
【手続補正２】
【補正対象書類名】明細書
【補正対象項目名】０００４
【補正方法】変更
【補正の内容】
【０００４】
本考案の釘撃ち器は、グリップ主体下方にグリップを有する。グリップ底部は複数の回避孔を設置し、グリップ主体は中心に軸孔を有する。軸心の中心は穿孔を貫通し、上段箇所に槽を有し、底部周辺に複数の回避孔を有し、上記グリップ主体の軸孔に穿入する打撃棒の頂端は打撃頭で、グリップ一側は槽を有して、制御器を組設し、その内部は容置空間を有し、上方は滑槽である。その一側は導出槽、及び、推進槽であり、前後に対応するトラック槽を有する。トラック槽の下方一端は固定柱を設置し、固定柱は弾性素子を設置し、制御器上方の滑槽は釘制限体を置入し、制御器の推進槽は推進素子を置入し、推進素子の穿孔は、定位素子を結合する。
【手続補正３】
【補正対象書類名】明細書
【補正対象項目名】０００６
【補正方法】変更
【補正の内容】
【０００６】
図１〜図３で示されるように、本考案の釘撃ち器は、グリップ主体１０からなり、その下方にグリップ１１を有する。グリップ１１底部は複数の回避孔１１１を設置し、グリップ体１０は中心に上が小さく下が大きい二段階状の軸孔１２を有する。グリップ１１上方は拡大した防護ブロック１３を有し、軸心２０の中心は穿孔２１を貫通し、上段箇所に槽２２を有する。また、軸心２０底部周辺に複数の回避孔２０１を有し、上記グリップ主体１０の軸孔２０に穿入する打撃棒３０の頂端は打撃頭３１で、打撃頭３１は大きい頭状か取っ手形状である。グリップ１１一側は槽１４を有して、制御器４０を組設し、その内部は容置空間４１を有し、上方は滑槽４２である。その一側は導出槽４３、及び、推進槽４４であり、前後に対応するトラック槽４５を有する。トラック槽４５の一端は定位部４５１を形成し、トラック槽４５下方の一端は固定柱４６を設置し、固定柱４６は弾性素子４７を設置し、制御器４０上方の滑槽４２は釘制限体５０を置入し、複数の二個ずつ対応する制限リング５１を連結した一体成型で、制限リング５１の相隣する間に連結部５２を設置し、制限リング５１は複数の釘５３を設置し、制御器４０の推進槽４４は推進素子６０を置入し、推進素子６０一側上方は穿孔６１を有し、定位素子７０を結合する。
【手続補正４】
【補正対象書類名】明細書
【補正対象項目名】０００７
【補正方法】変更
【補正の内容】
【０００７】
組み合わせ時、図３で示されるように、グリップ主体１０の槽１４が制御器４０を組設し、制御器４０の滑槽４２が、釘制限体５０を置入し、制御器４０の推進槽４４が推進素子６０を置入し、推進素子６０の穿孔６１は、制御器４０のトラック槽４５と水平設置され、定位素子７０がトラック槽４５、及び、推進素子６０の穿孔６１を穿組し、定位素子７０により定位部４５１に定位され、定位素子７０の端部が弾性素子４７のもう一端を設置し、軸心２０は、グリップ体１０下方から軸孔１２上段の小階段に穿入固定されて、軸心２０の槽２２が、制御器４０の導出槽４３に照準し、推進素子６０により釘制限体５０を推進し、釘撃ち棒３０は、グリップ主体１０上方から軸孔１２に穿入し、更に、軸心２０の穿設孔２１中に穿入して、連続的な釘撃ち使用を可能にする。
【手続補正５】
【補正対象書類名】明細書
【補正対象項目名】００１２
【補正方法】変更
【補正の内容】
【００１２】
本考案
グリップ主体      １０
グリップ        １１
回避孔          １１１
軸孔            １２
防護ブロック    １３
槽              １４
軸心            ２０
回避孔          ２０１
穿設孔          ２１
槽              ２２
打撃棒          ３０
打撃頭          ３１
控制器          ４０
容置空間        ４１
滑槽            ４２
導出槽          ４３
推進槽          ４４
トラック槽      ４５
定位部         
４５１
固定柱          ４６
弾性素子        ４７
釘制限体        ５０
制限リング      ５１
連結部          ５２
くぎ            ５３
推進素子        ６０
穿孔            ６１
定位素子        ７０
目標物          Ａ
公知
釘打撃棒        ａ
打撃ヘッド      ａ１
グリップ        ｂ
握持部          ｂ１
軸心            ｃ
挟持頭          ｄ
挟持爪          ｅ
ねじればね      ｆ
定位鞘          ｇ
敲撃頭          ａ１
主握體          ｂ
握持部          ｂ１
軸孔            ｂ２
防護ブロック    ｂ３
軸心            ｃ
中心孔          ｃ１
回避孔          ｃ２
挟持頭          ｄ
挿結段          ｄ１
活動空間        ｄ２
枢結槽          ｄ３
係止部          ｄ４
定位穿孔        ｄ５
挟持爪           ｅ
押圧部           ｅ１
枢結孔           ｅ２
挟持部           ｅ３
ねじればね       ｆ
定位鞘          ｇ